(57)【要約】【課題】コンピュータ用の入力装置であるマウスにおいて、操作者に自分の習慣とは異なるマウスの掴みかたを強いることによって操作性を悪化させるような事態を招くことなく、使用時の痛みや疲れを解消するとともに、不使用時や持ち運び時の省スペース化を実現する。【解決手段】マウスの操作者の手首付近の部分を乗せるための手乗せ部材２を、マウスの底部に収納された位置と、マウスの周囲に露出した位置との間で変位可能に、且つ、マウスの上下方向に延びた回転軸のまわりで、マウスから露出する方角を可変にして取り付ける。【選択図】図２
2007157081.tif 000002
【特許請求の範囲】
【請求項１】
コンピュータ用の入力装置であるマウスにおいて、
マウスの操作者の手首付近の部分を乗せるための手乗せ部材が、マウスの底部に収納された位置と、マウスの周囲に露出した位置との間で変位可能に、且つ、マウスの上下方向に延びた回転軸のまわりで、マウスから露出する方角を可変にして取り付けられた
ことを特徴とするマウス。
【請求項２】
請求項１に記載のマウスにおいて、
マウスの筐体の底面の後端付近に、マウスの上下方向に延びた軸が設けられており、前記手乗せ部材が、該軸を回転中心として、前記筐体の底面の下側に収納された角度位置と、マウスの後方に露出した角度位置との間で回転可能にして取り付けられた
ことを特徴とするマウス。
【発明の詳細な説明】
【技術分野】
【０００１】
本発明は、コンピュータ用の入力装置であるマウスに関し、特に、操作性を悪化させることなく使用時の疲れ等を解消するとともに、不使用時等の省スペース化を実現したものに関する。
【背景技術】
【０００２】
コンピュータ用の入力装置であるマウスを使用する場合、操作者は、手の指や、手のひらのうちの指の付け根付近の部分で、マウスの上面を掴む。このとき、手のひらのうちの手首付近の部分は、机面に接した状態にあるか、あるいは、宙に浮かせた状態にある。
【０００３】
しかし、手首付近の部分が机面に接していると、長時間使用した際に、机面との摩擦によって手が痛くなってしまう。他方、手首付近の部分を宙に浮かせていると、長時間使用した際に手が疲れてしまう。
【０００４】
また、近年は電波方式のワイヤレスマウス（マウス本体が、操作内容を示す情報によって変調された電波を、コンピュータに接続された受信ユニットに送信するもの）が登場している。このワイヤレスマウスを金属製の机の上で使用する場合に、手首付近の部分が直接机面に接していると、マウス本体内の高周波回路の電波が手のひらを通して金属製の机に吸収されてしまうので、電波の到達距離が短くなってしまう。
【０００５】
従来、こうした問題を解消するための方法としては、例えば、マウスの使用時に手首付近の部分を乗せるための手乗せ部材を、マウスとは別に設けるという方法が提案されていた（特許文献１）。
【０００６】
【特許文献１】実用新案登録第３０８８６３０号公報（段落０００７〜１５、図１〜３）
【発明の開示】
【発明が解決しようとする課題】
【０００７】
しかし、このようにマウスとは別の手乗せ部材に手首付近の部分を乗せたのでは、マウスを机面上でいろいろな方向に動かす場合に、手乗せ部材をマウスに追従して動かすことが困難であり、手乗せ部材がマウスから離れてしまうなど、操作性が悪くなってしまうことが予想される。
【０００８】
この操作性の悪さを解消する方策としては、こうした手乗せ部材をマウスと一体化することが考えられる。しかし、単純に手乗せ部材をマウスに固定して取り付けたとすると、次の(1)や(2)のような不都合が生じる。
【０００９】
(1)マウスの掴みかたは全ての人にとって同じということはなく、真っ直ぐ掴む（マウスの前後方向と前腕の延びる方向とが一致するように掴む）習慣のある人もいれば、斜めに掴む（マウスの前後方向と前腕の延びる方向とが、机面上で角度を持つように掴む）習慣のある人もいる。そして、マウスを真っ直ぐ掴んだ場合には、操作者の手首付近の部分はマウスの真後ろに位置するのに対し、マウスを斜めに掴んだ場合には、操作者の手首付近の部分はマウスの斜め後ろに位置する。このように、マウスの使用時の手首付近の部分の位置は、マウスの掴みかたによって異なる。しかるに、手乗せ部材をマウスに固定して取り付けると、その固定した手乗せ部材の位置に手首付近の部分の位置を合わせるような掴みかたをしなければ（例えば、手乗せ部材をマウスの真後ろに固定して取り付けた場合には、マウスを真っ直ぐ掴まなければ）、手乗せ部材を手首付近の部分を乗せることができなくなる。したがって、元々違う掴みかたでマウスを掴む習慣のある人にとっては、自分の習慣とは異なるマウスの掴みかたを強いられるので、却って操作性が悪くなってしまう。
【００１０】
(2)手乗せ部材の大きさの分だけマウスが大型化するので、不使用時にもマウスが机の上で大きな面積を占めてしまったり、持ち運び時にマウスがかさばってしまう。
【００１１】
本発明は、上述の点に鑑み、コンピュータ用の入力装置であるマウスにおいて、操作者に自分の習慣とは異なるマウスの掴みかたを強いることによって操作性を悪化させるような事態を招くことなく、使用時の痛みや疲れを解消するとともに、不使用時や持ち運び時の省スペース化を実現することを課題とする。
【課題を解決するための手段】
【００１２】
上記課題を解決するため、本発明に係るマウスは、マウスの操作者の手首付近の部分を乗せるための手乗せ部材が、マウスの底部に収納された位置と、マウスの周囲に露出した位置との間で変位可能に、且つ、マウスの上下方向に延びた回転軸のまわりで、マウスから露出する方角を可変にして取り付けられたことを特徴とする。
【００１３】
このマウスは、使用時には、この手乗せ部材をマウスの周囲に露出させ、且つ、回転軸のまわりでの露出の方角を調節することにより、個々の操作者のマウスの掴みかたに合った位置に手乗せ部材を位置させて、手首付近の部分をこの手乗せ部材に乗せることができる。したがって、操作者に自分の習慣とは異なるマウスの掴みかたを強いることによって操作性を悪化させるような事態を招くことなく、手首付近の部分が机面に接する場合のような手の痛みや、手首付近の部分を宙に浮かせる場合のような手の疲れを解消することができる。
【００１４】
そして、不使用時や持ち運び時には、この手乗せ部材をマウスの底部に収納することにより、省スペース化が実現される。
【発明の効果】
【００１５】
本発明に係るマウスによれば、操作者に自分の習慣とは異なるマウスの掴みかたを強いることによって操作性を悪化させるような事態を招くことなく、使用時の痛みや疲れを解消することができるとともに、不使用時や持ち運び時の省スペース化を実現できるという効果が得られる。
【発明を実施するための最良の形態】
【００１６】
以下、本発明を実施するための最良の形態を、図面を用いて説明する。図１〜図５は、本発明に係るマウス（電波方式のワイヤレスマウスのマウス本体）の形状及び構造を示す図である。このうち、図１は、マウスを表側からみた斜視図であり、図２は、マウスを裏側からみた斜視図である。図３（ａ），（ｂ）（ｃ），（ｄ）は、それぞれ正面図，左側面図，平面図，背面図である。図４は右側面断面図であり、図５は底面図である。
【００１７】
図１，図２，図３（ｂ）及び図４に示すように、このマウスの筐体１の底面は、前側（左クリック釦６，右クリック釦７やホイール８のある側）の部位１ａと後側の部位１ｂとに段差がついており、部位１ｂのほうが３ｍｍ程度高い位置にある。
【００１８】
図４に示すように、筐体１の底面の後端付近には、上下方向に延びた軸１４が設けられている。そして、図１，図２，図４及び図５に示すように、筐体１の部位１ｂの下側には、円形の平板状の手乗せパッド２が、軸１４を回転中心として取り付けられている。手乗せパッド２は、プラスチックを成型したものであり、厚さは３ｍｍ程度、円の直径はマウスの横幅とほぼ同じである。
【００１９】
この手乗せパッド２は、部位１ｂの下側に収納された角度位置（図１（ａ），図２（ａ），図４及び図５（ａ））と、マウス１の真後ろに露出した角度位置（図１（ｂ），図２（ｂ）及び図５（ｂ））との間の任意の角度位置に回転可能である。（図３（ｃ）の平面図は、手乗せパッド２がマウス１の真後ろに露出した角度位置にある状態を描いている。）
【００２０】
手乗せパッド２の上面（手を乗せるほうの面）には、手への感触を柔らかくするとともに手のすべりをなくすために、発泡ウレタンシート３が貼られている。また、手乗せパッド２の下面（使用時に机面やマウスパッド等と接する面）には、滑らかな操作性を得るために、リング状のテフロンシート４が貼られている。筐体１の底面の前端にも、同じ目的でテフロンシート５が貼られている。
【００２１】
図２（ｂ），図４及び図５（ｂ）に示すように、筐体１の部位１ｂには、乾電池１３（図４）を収納する電池ボックスの蓋９が設けられており、手乗せパッド２をマウス１の真後ろに露出させた状態で、この蓋９を開けることができるようになっている。
【００２２】
また、図２及び図５に示すように、筐体１の部位１ａには、光センサからの光を通すための穴１０が設けられている。そして、図４に示すように、マウスの内部には、センサ基板１１（マウスの移動速度及び移動方向を検出するための光センサや、左クリック釦６，右クリック釦７及びホイール８の操作内容を検出するためのマイクロスイッチ等のセンサを搭載した基板）や、電波基板１２（センサ基板１１上のセンサの検出結果を示す情報によってＦＭ変調した電波を送信するための高周波回路やアンテナを搭載した基板）が格納されている。こうした電波方式のワイヤレスマウスの回路構成自体は周知のものであり、本発明とは直接関係しないので、その詳細な説明は省略する。
【００２３】
次に、このマウスの使用時の手乗せパッド２の利用方法を、図６〜図８を用いて説明する。図６は、マウスを真っ直ぐ掴む（マウスの前後方向と前腕の延びる方向とが一致するように掴む）習慣のある操作者の場合の利用方法を示す。この場合には、図１（ｂ）や図２（ｂ）等に示したのと同じく手乗せパッド２をマウス１の真後ろに露出させる。そして、自分の習慣どおりにマウスを真っ直ぐ掴む。すると、手首付近の部分を手乗せパッド２に乗せてマウスを使用することができる。（図では、手乗せパッド２が露出する方角を見やすくするために、操作者の手を想像線（二点鎖線）で描いている。後出の図７及び図８でも同じである。）
【００２４】
これにより、マウスを長時間使用する際に、手首付近の部分が机面に接する場合のような手の痛みや、手首付近の部分を宙に浮かせる場合のような手の疲れが解消される。
【００２５】
また、マウスを金属製の机の上で使用する場合にも、手首付近の部分が直接机面に接しなくなり、マウス内の高周波回路の電波が手のひらを通して金属製の机に吸収されることがなくなるので、電波の到達距離の減少が抑制される。
【００２６】
図７は、マウスを斜めに掴む（マウスの前後方向と前腕の延びる方向とが、机面上で角度を持つように掴む）習慣のある右利きの操作者の場合の利用方法を示す。この場合には、手乗せパッド２を、マウスの左後方に露出するような角度位置（具体的な角度は、個々の操作者が任意に決定可能である）に回転させる。そして、自分の習慣どおりにマウスを斜めに掴む。すると、手首付近の部分を手乗せパッド２に乗せてマウスを使用することができる。
【００２７】
これにより、マウスを長時間使用する際の手の痛みや疲れを解消されるとともに、マウスを金属製の机の上で使用する場合の電波の到達距離の減少が抑制される。
【００２８】
図８は、マウスを斜めに掴む習慣のある左利きの操作者の場合の利用方法を示す。この場合には、手乗せパッド２を、マウスの右後方に露出するような角度位置（具体的な角度は、個々の操作者が任意に決定可能である）に回転させる。そして、自分の習慣どおりにマウスを斜めに掴む。すると、手首付近の部分を手乗せパッド２に乗せてマウスを使用することができる。
【００２９】
これにより、マウスを長時間使用する際の手の痛みや疲れを解消されるとともに、マウスを金属製の机の上で使用する場合の電波の到達距離の減少が抑制される。
【００３０】
このように、このマウスは、使用時には、手乗せパッド２をマウスから露出させる方角を調整することにより、個々の操作者のマウスの掴みかたに合った位置に手乗せパッド２を位置させて、手首付近の部分を手乗せパッド２に乗せることができる。したがって、操作者に自分の習慣とは異なるマウスの掴みかたを強いることによって操作性を悪化させるような事態を招くことなく、手首付近の部分が机面に接する場合のような手の痛みや、手首付近の部分を宙に浮かせる場合のような手の疲れを解消することができる。
【００３１】
そして、このマウスは、不使用時や持ち運び時には、図１（ａ）や図２（ａ）等に示したように手乗せパッド２を筐体１の部位１ｂの下側に収納することにより、通常のマウスと同じ大きさになる。したがって、不使用時にマウスが机の上で大きな面積を占めたり、持ち運び時にマウスがかさばったりすることが防止される。
【００３２】
さらに、このマウスは、筐体１の底面の下側に手乗せパッド２が収納されるので、不使用時や持ち運び時に底面側の強度が向上する。
【００３３】
なお、以上に示した手乗せパッド２の形状，大きさ（厚みや径）はあくまで一例であり、手乗せパッド２を円形以外の形状（例えば楕円や扇形）にしたり、手乗せパッド２の厚みを３ｍｍ以外の大きさにしたり、手乗せパッド２の円の直径をマウスの横幅未満の大きさあるいはマウスの横幅を若干越える大きさ（手乗せパッド２の収納時にマウスがあまり大型化しない程度の大きさ）にしてもよい。
【００３４】
また、以上の例では手乗せパッド２の上面に発泡ウレタンシート３を貼っているが、発泡ウレタン以外の材料であって、手への感触を良くする機能や手のすべりをなくす機能を有する材料から成るシートを手乗せパッド２の上面に貼るようにしてもよい。
【００３５】
また、以上の例では、電波方式のワイヤレスマウスであって光センサによってマウスの移動を検出するものに本発明を適用した。しかし、これに限らず、本発明は、赤外線方式のワイヤレスマウスや、ケーブル方式のマウスや、マウス底面のボールの回転によって移動を検出するマウス等、あらゆる種類のマウスに適用することができる。
【００３６】
また、以上の例では、手乗せパッド２が、マウスの筐体１の底面の後端付近の軸１４を回転中心として、筐体１の底面の下側に収納された角度位置と、マウスの後方に露出した角度位置との間で回転可能にして取り付けられている。しかし、これとは別の方式により、手乗せパッドを、マウスの底部に収納された位置と、マウスの周囲に露出した位置との間で変位可能に、且つ、マウスの上下方向に延びた回転軸のまわりで、マウスから露出する方角を可変にして取り付けるようにしてもよい。
【００３７】
図９は、そうした取り付け方式の変更例として、電池ボックスの蓋を設ける必要のないマウス（例えば、マウス内に格納した蓄電池を、ＵＳＢケーブルを介してコンピュータから充電可能なマウス）に適用することのできる方式の概要を示す図であり、図１や図２等と共通する部分には同一符号を付している。
【００３８】
この方式では、マウスの筐体１の底面の後側の部位１ｂの下側に、円板２１が、円周方向に回転可能に取り付けられている。そして、この円板２１の下面に、手乗せパッド２２が、円板２１の直径方向にスライド可能に取り付けられている。手乗せパッド２２の下面には、テフロンシート２３が貼られている。また、図には表れていないが、手乗せパッド２２の上面には発泡ウレタンシートが貼られている。
【００３９】
操作者は、手乗せパッド２２をスライドさせることにより、手乗せパッド２２をマウスの周囲に露出させることができ、また、円板２１を回転させることにより、手乗せパッド２をマウスから露出させる方角を調整することができる。
【図面の簡単な説明】
【００４０】
【図１】本発明に係るマウスの形状及び構造を示す斜視図である。
【図２】本発明に係るマウスの形状及び構造を示す斜視図である。
【図３】本発明に係るマウスの形状及び構造を示す図である。
【図４】本発明に係るマウスの形状及び構造を示す断面図である。
【図５】本発明に係るマウスの形状及び構造を示す底面図である。
【図６】本発明に係るマウスの手乗せパッドの利用方法を示す図である。
【図７】本発明に係るマウスの手乗せパッドの利用方法を示す図である。
【図８】本発明に係るマウスの手乗せパッドの利用方法を示す図である。
【図９】手乗せパッドの取り付け方式の変更例を示す図である。
【符号の説明】
【００４１】
１  マウスの筐体、  １ｂ  筐体の底面の後側の部位、  ２  手乗せパッド、  ３  発泡ウレタンシート、  ４  テフロンシート
【図１】
2007157081.tif 000003
【図２】
2007157081.tif 000004
【図３】
2007157081.tif 000005
【図４】
2007157081.tif 000006
【図５】
2007157081.tif 000007
【図６】
2007157081.tif 000008
【図７】
2007157081.tif 000009
【図８】
2007157081.tif 000010
【図９】
2007157081.tif 000011